(57)【要約】      （修正有）【課題】蝋燭の火炎の舞いに類似し、市電を直接に利用し、又は市電によって充電可能であり、モートコントロールすることが可能であり、構造が簡素であり、利用及び操作が便利である蝋燭ランプを提供する。【解決手段】台座１と、台座に脱着可能に組み付けられており、その裏面には、互いに交差する、環状溝２１と、縦方向溝２２とが設けられている接続台２と、接続台に差込可能であり、その外面には、縦方向突起と、少なくとも一つの突起３２とが設けられており、接続台に脱着可能に組付け可能である柱３と、柱の上端に旋回可能に差し込まれているキャンドルライト導光板４と、柱の底部の内部に設けられている電池と、電池と電気的に接続する制御回路と、キャンドルライト導光板に隣接し、キャンドルライト導光板により、射出する光線が導光され、制御回路及び電池と電気的に接続する発光ユニットと、を含む。【選択図】図５
0003209080.tif 000002
【実用新案登録請求の範囲】
【請求項１】
台座と、
前記台座に脱着可能に組み付けられており、その裏面には、互いに交差する、環状溝と、縦方向溝とが設けられている接続台と、
前記接続台に差込可能であり、その外面には、縦方向突起と、少なくとも一つの突起とが設けられており、前記縦方向突起は前記縦方向溝と嵌合してスライド可能であり、前記突起は前記環状溝と嵌合可能であり、これにより、前記接続台に脱着可能に組付け可能である柱と、
前記柱の上端に旋回可能に差し込まれているキャンドルライト導光板と、
前記柱の底部の内部に設けられている電池と、
前記柱の内部に設けられており、前記電池と電気的に接続する制御回路と、
前記柱の内部に設けられており、前記キャンドルライト導光板に隣接し、キャンドルライト導光板により、射出する光線が導光され、前記制御回路及び前記電池と電気的に接続する発光ユニットと、
を含むことを特徴とする蝋燭ランプ。
【請求項２】
前記電池は充電式電池であり、前記台座にソケットが設けられており、前記ソケットは、前記接続台の内部に位置し、前記制御回路及び前記電池と電気的に接続し、ケーブルを介して市電と接続することを特徴とする、請求項１に記載の蝋燭ランプ。
【請求項３】
前記台座にレセプターが設けられており、前記レセプターは、前記接続台の内部に位置し、前記制御回路及び前記電池と電気的に接続し、リモートコントローラーからの信号を接収して制御回路によって前記発光ユニットをオンにすることが可能であることを特徴とする、請求項２に記載の蝋燭ランプ。
【請求項４】
前記発光ユニットは発光ダイオードであることを特徴とする、請求項１に記載の蝋燭ランプ。
【請求項５】
更に、コイルを含み、前記コイルにより、前記キャンドルライト導光板を制御して旋回可能であることを特徴とする、請求項１に記載の蝋燭ランプ。
【考案の詳細な説明】
【技術分野】
【０００１】
本考案は、照明及び装飾をするための設備に関し、特に、蝋燭ランプに関するものである。
【背景技術】
【０００２】
従来の祭りのための蝋燭は、芯の周囲に蝋を凝固して成型されたものである。使用時に、蝋燭立てに蝋燭の底部を固定して、蝋燭の上端から突出する芯に火を付けると、蝋燭の上端の芯が燃焼されて光を周囲に射出する。
【０００３】
蝋燭は昔からの照明用品である。その他の各種類の照明器具が発明されたため、現在の蝋燭は、ムードを作り、祭りのときに利用されることが多い。このような蝋燭は、ロッド状を呈し、外観の変化が少なく、そして蝋燭の芯が燃焼しているときに、気流の原因で、蝋燭の火炎が舞ってしまい、更に、気流が強すぎると、蝋燭の火炎が消えたり、蝋燭が倒れて周囲にある可燃物に火を付けたりすることがある。これは火災になる可能性がある。
【考案の概要】
【考案が解決しようとする課題】
【０００４】
本考案の主な目的は、柱に設けられている縦方向突起を縦方向溝と嵌合してスライドし、環状溝に各突起を嵌め込み、これにより、接続台に柱を脱着可能に組付け可能となり、これは蝋燭立てに蝋燭を固定することと同様であり、そしてコイルにより、発光ユニットからの光線を受けて導光して周囲に光線を射出するキャンドルライト導光板を制御して旋回可能であり、これは蝋燭の火炎の舞いに類似し、市電を直接に利用し、又は市電によって充電可能であり、リモートコントローラーにより、モートコントロールすることが可能であり、構造が簡素であり、利用及び操作が便利である蝋燭ランプを提供することにある。
【課題を解決するための手段】
【０００５】
本考案の蝋燭ランプによると、
台座と、
台座に脱着可能に組み付けられており、その裏面には、互いに交差する、環状溝と、縦方向溝とが設けられている接続台と、
接続台に差込可能であり、その外面には、縦方向突起と、少なくとも一つの突起とが設けられており、縦方向突起は縦方向溝と嵌合してスライド可能であり、突起は環状溝と嵌合可能であり、これにより、接続台に脱着可能に組付け可能である柱と、
柱の上端に旋回可能に差し込まれているキャンドルライト導光板と、
柱の底部の内部に設けられている電池と、
柱の内部に設けられており、電池と電気的に接続する制御回路と、
柱の内部に設けられており、キャンドルライト導光板に隣接し、キャンドルライト導光板により、射出する光線が導光され、制御回路及び電池と電気的に接続する発光ユニットと、を含む
ことを特徴とする。
【０００６】
本考案の蝋燭ランプによると、電池は充電式電池であり、台座にソケットが設けられており、ソケットは、接続台の内部に位置し、制御回路及び電池と電気的に接続し、ケーブルを介して市電と接続することを特徴とする。
【０００７】
本考案の蝋燭ランプによると、台座にレセプターが設けられており、レセプターは、接続台の内部に位置し、制御回路及び電池と電気的に接続し、リモートコントローラーからの信号を接収して制御回路によって発光ユニットをオンにすることが可能であることを特徴とする。
【０００８】
本考案の蝋燭ランプによると、発光ユニットは発光ダイオードであることを特徴とする。
【０００９】
本考案の蝋燭ランプによると、更に、コイルを含み、コイルにより、キャンドルライト導光板を制御して旋回可能であることを特徴とする。
【考案の効果】
【００１０】
本考案の蝋燭ランプによれば、柱に設けられている縦方向突起を縦方向溝と嵌合してスライドし、環状溝に各突起を嵌め込み、これにより、接続台に柱を脱着可能に組付け可能となり、これは蝋燭立てに蝋燭を固定することと同様であり、そしてコイルにより、発光ユニットからの光線を受けて導光して周囲に光線を射出するキャンドルライト導光板を制御して旋回可能であり、これは蝋燭の火炎の舞いに類似し、市電を直接に利用し、又は市電によって充電可能であり、リモートコントローラーにより、モートコントロールすることが可能であり、構造が簡素であり、利用及び操作が便利であるという効果を有する。
【図面の簡単な説明】
【００１１】
【図１】本考案に係る蝋燭ランプを示す外観図である。
【図２】本考案に係る蝋燭ランプの柱と台座とを示す分解斜視図である。
【図３】本考案に係る蝋燭ランプの柱が台座及び接続台と連接することを示す分解斜視図である。
【図４】本考案に係る蝋燭ランプの使用状態を示す斜視図である。
【図５】本考案に係る蝋燭ランプの一部を分解した状態を示す斜視図である。
【図６】本考案に係る蝋燭ランプの接続台と台座を分解した状態を示す斜視図である。
【図７】本考案に係る蝋燭ランプを分解した状態を示す平面図である。
【考案を実施するための形態】
【００１２】
以下、本考案の実施の形態を図面に基づいて説明する。
【００１３】
図１から図７を参照する。本考案に係る蝋燭ランプ１００は、台座１と、接続台２と、柱３と、キャンドルライト導光板４と、電池５と、制御回路６と、発光ユニット７と、を含む。
【００１４】
接続台２は、台座１に脱着可能に組み付けられており、その裏面には、互いに交差する、環状溝２１と、縦方向溝２２とが設けられている。
【００１５】
柱３は、接続台２に差込可能であり、その外面には、縦方向突起３１と、少なくとも一つの突起３２とが設けられている。本実施例では、突起３２が二つあるが、もちろん、本考案はこれらに限定されない。縦方向突起３１は縦方向溝２２と嵌合してスライド可能である。突起３２は、三つあり、同じ角度を置いて設けられてもよい。突起３２は、環状溝２１と嵌合可能である。これにより、柱３を接続台２に脱着可能に組付け可能である。
【００１６】
キャンドルライト導光板４は、柱３の上端に旋回可能に差し込まれている。柱３は蝋燭の本体と同様である。キャンドルライト導光板４は蝋燭の芯の火炎と同様である。接続台２と台座１を結合するものは蝋燭立てと同様である。
【００１７】
電池５は、充電式電池でもよく、柱３の底部の内部に設けられている。
【００１８】
制御回路６は、柱３の内部に設けられており、電池５と電気的に接続する。
【００１９】
発光ユニット７は、発光ダイオード（ＬＥＤ）でもよく、柱３の内部に設けられており、キャンドルライト導光板４に隣接する。キャンドルライト導光板４により、発光ユニット７から射出する光線が導光される。発光ユニット７は、制御回路６及び電池５と電気的に接続する。
【００２０】
台座１には、更に、ソケット１１が設けられている。ソケット１１は、接続台２の内部に位置し、制御回路６及び電池５と電気的に接続し、ケーブル２００を介して市電と接続する。これにより、市電を直接に利用し、又は充電式電池である電池５を充電可能である。ケーブル２００は、ＵＳＢケーブルをソケットと接続する方式を採用してもよい。
【００２１】
また、台座１には、更に、レセプター１２が設けられている。レセプター１２は、接続台２の内部に位置し、制御回路６及び電池５と電気的に接続し、リモートコントローラー１３からの信号を接収して、制御回路６によって発光ユニット７をオンにすることが可能である。
【００２２】
本考案に係る蝋燭ランプ１００は、更に、コイル８を含む。コイル８により、キャンドルライト導光板４を制御して旋回可能である。
【００２３】
上記のような構成によれば、柱３に設けられている縦方向突起３１を縦方向溝２２と嵌合してスライドし、環状溝２１に各突起３２を嵌め込み、これにより、接続台２に柱３を脱着可能に組付け可能となり、これは蝋燭立てに蝋燭を固定することと同様であり、そしてコイル８により、発光ユニット７からの光線を受けて導光して周囲に光線を射出するキャンドルライト導光板４を制御して旋回可能であり、これは蝋燭の火炎の舞いに類似し、更に、市電を直接に利用し、又は市電によって充電可能であり、リモートコントローラー１３により、モートコントロールすることが可能であり、構造が簡素であり、利用及び操作が便利である。
【００２４】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２５】
本考案は、蝋燭ランプに適用することができる。
【符号の説明】
【００２６】
１  台座
２  接続台
３  柱
４  キャンドルライト導光板
５  電池
６  制御回路
７  発光ユニット
８  コイル
１１  ソケット
１２  レセプター
１３  リモートコントローラー
２１  環状溝
２２  縦方向溝
３１  縦方向突起
３２  突起
１００  蝋燭ランプ
２００  ケーブル
【図１】
0003209080.tif 000003
【図２】
0003209080.tif 000004
【図３】
0003209080.tif 000005
【図４】
0003209080.tif 000006
【図５】
0003209080.tif 000007
【図６】
0003209080.tif 000008
【図７】
0003209080.tif 000009